(57)【要約】【課題】本発明は、ユーザーの生活状態に応じたタイマ設定を行うことが可能な空気調整装置を提供することを目的とする。【解決手段】タイマ設定が行われ、第２タイマの入タイマ設定時刻ｔｂ１経過後に、運転条件がＢからＤに変更されたとき、変更後の運転条件Ｄによって空気調整装置が動作する。しかしながら、次回に第２タイマの入タイマ設定時刻ｔｂ１となったとき、変更前の運転条件Ｂが読み出されて、運転条件Ｂによって空気調整装置が動作する。【選択図】      図５
2004162961.tif 000002
【特許請求の範囲】
【請求項１】
タイマ設定機能を備えた空気調整装置において、
前記タイマ設定機能によって、複数の運転時刻もしくは時間と、前記運転時刻もしくは時間における運転条件を設定する運転設定部と、
該運転設定部で設定された運転時刻もしくは時間と運転条件とを記憶する記憶部と、
前記タイマ設定機能による運転条件の変更を防止する変更防止部と、
を備えることを特徴とする空気調整装置。
【請求項２】
タイマ設定機能を備えた空気調整装置において、
前記タイマ設定機能によって、複数の運転時刻もしくは時間と、前記運転時刻もしくは時間における運転条件を設定する運転設定部と、
該運転設定部で設定された運転時刻もしくは時間と運転条件とを記憶する記憶部と、
前記記憶部に記憶された運転条件を選択する選択部と、
を備えることを特徴とする空気調整装置。
【請求項３】
タイマ設定機能を備えた空気調整装置において、
前記タイマ設定機能によって、複数の運転時間と各運転時間における運転条件が設定されて記録されるとともに、
設定された前記運転時間において、当該運転時間と共に設定された運転条件が変更されたとき、変更後の運転条件が記録されることなく、設定された前記運転条件のまま記録されていることを特徴とする空気調整装置。
【請求項４】
タイマ設定機能を備えた空気調整装置において、
前記タイマ設定機能によって、複数の運転時間と各運転時間における運転条件が設定されて記録されるとともに、
設定された前記運転時間において、当該運転時間と共に設定された運転条件が変更されたとき、次回に当該運転時間に利用するために記録する運転条件を、変更前の運転条件又は変更後の運転条件から選択されることを特徴とする空気調整装置。
【請求項５】
一日に設定される複数の前記運転時間及び前記運転条件の組み合わせを、設定タイマパターンとして複数記録することを特徴とする請求項３又は請求校４に記載の空気調整装置。
【請求項６】
前記運転時間及び前記運転条件を設定する際に設定する前記運転時間の順番を報知する報知部を備えることを特徴とする請求項３〜請求項５のいずれかに記載の空気調整装置。
【請求項７】
設定された前記運転時間が重なることがないことを特徴とする請求項３〜請求項６のいずれかに記載の空気調整装置。
【請求項８】
ｎ番目の運転時間が設定される際、当該ｎ番目の運転時間の開始時刻がｎ−１番目の運転時間の終了時刻以降から設定されるとともに、当該ｎ番目の運転時間の終了時刻が当該ｎ番目の運転時間の開始時刻以降から設定されることを特徴とする請求項７に記載の空気調整装置。
【請求項９】
複数のイオン発生装置を備えた空気調整装置において、
前記複数のイオン発生装置それぞれが並列に設置されるとともに、
発生させるイオン量に応じて前記複数のイオン発生装置それぞれの動作状態を設定することを特徴とする空気調整装置。
【請求項１０】
前記イオン発生装置全てを動作させないとき、その寿命の長いイオン発生装置を動作させることを特徴とする前記の請求項９に記載の空気調整装置。
【発明の詳細な説明】
【０００１】
【発明の属する技術分野】
本発明は、空気清浄機や空気調和機や電気暖房機や燃焼器などの空気調整装置に関するもので、特に、タイマ設定を行うことができる空気調整装置に関する。
【０００２】
【従来の技術】
従来より、室温調整や空気の清浄化を行う空気調整装置において、予め、ＯＮ／ＯＦＦする時刻を設定するタイマ設定機能が設けられている。このようなタイマ設定機能を備えることによって、例えば、ユーザーがＯＮとする時刻をタイマ設定機能で設定することで、所望する時刻に室温を適温にしたり、又、十分に室内の空気を清浄化したりすることができる。又、例えば、ユーザーが就寝時などにおいてＯＦＦとする時刻をタイマ設定機能で設定することで、就寝後一定時間が経過するまで、室内の状態を快適に保つことができる。
【０００３】
又、従来技術として、毎日同じ時刻にＯＮ／ＯＦＦする２４時間リアルタイマと一定時間経過後ＯＦＦとなる指定時間タイマとを備えた空気調和機が提供されている（特許文献１）。又、従来技術として、空気調和機をＯＮする入タイマ設定時刻を設定する入タイマ設定部を備え、入タイマ設定時刻に室温を目標温度とするために入タイマ設定時刻より早く運転開始時刻を設定する空気調和機が提供されている（特許文献２）。又、従来技術として、空気調和機本体をＯＮ／ＯＦＦさせるタイマ予約機能を備えたリモートコントローラが提供されている（特許文献３）。
【０００４】
【特許文献１】
特開２００２−１０６９０８号公報
【特許文献２】
特開平１０−６１９９５号公報
【特許文献３】
特開平１０−２８１５３９号公報
【０００５】
【発明が解決しようとする課題】
しかしながら、従来の空気調整装置は、特許文献１及び特許文献３のように、動作がＯＮ／ＯＦＦする時刻が設定されるのみであり、その動作状態が設定されるものではない。又、特許文献２においては、所定時刻における目標とする室温が設定されるものの、その動作状態を各時間毎に設定するものではない。よって、従来の空気調整装置は、ユーザーの生活状態に対して柔軟に対応することが可能なタイマ設定を行うものではない。又、従来の空気調整装置においては、タイマ設定に従ってＯＮとなった後、その動作状態がユーザーによって変更されると、変更後の動作状態が記憶され、次回、タイマ設定に従ってＯＮとなったとき、変更後の動作状態に基づいて動作する。
【０００６】
このような問題を鑑みて、本発明は、ユーザーの生活状態に応じたタイマ設定を行うことが可能な空気調整装置を提供することを目的とする。
【０００７】
【課題を解決するための手段】
上記目的を達成するために、本発明の空気調整装置は、タイマ設定機能を備えた空気調整装置において、前記タイマ設定機能によって、複数の運転時刻もしくは時間と、前記運転時刻もしくは時間における運転条件を設定する運転設定部と、該運転設定部で設定された運転時刻もしくは時間と運転条件とを記憶する記憶部と、前記タイマ設定機能による運転条件の変更を防止する変更防止部と、を備えることを特徴とする。
【０００８】
又、本発明の空気調整装置は、タイマ設定機能を備えた空気調整装置において、前記タイマ設定機能によって、複数の運転時刻もしくは時間と、前記運転時刻もしくは時間における運転条件を設定する運転設定部と、該運転設定部で設定された運転時刻もしくは時間と運転条件とを記憶する記憶部と、前記記憶部に記憶された運転条件を選択する選択部と、を備えることを特徴とする。
【０００９】
又、本発明の空気調整装置は、タイマ設定機能を備えた空気調整装置において、前記タイマ設定機能によって、複数の運転時間と各運転時間における運転条件が設定されて記録されるとともに、設定された前記運転時間において、当該運転時間と共に設定された運転条件が変更されたとき、変更後の運転条件が記録されることなく、設定された前記運転条件のまま記録されていることを特徴とする。
【００１０】
この構成によると、入タイマ設定時刻及び切タイマ設定時刻が決定されることで複数の運転時間が設定されるとともに、各運転時間毎に運転パラメータや運転状態などの運転条件が設定される。そして、設定された運転時間となり、設定された運転条件で空気調整装置が動作を行っているとき、ユーザーによって運転条件が変更されると、変更された運転条件で運転する。このとき、変更後の運転条件が記録されることなく、変更前の運転条件が記録されたままとなる。その後、次回に設定された同一の運転時間となったとき、設定された同一の運転条件が読み出されて空気調整装置が動作する。
【００１１】
又、本発明の空気調整装置は、タイマ設定機能を備えた空気調整装置において、前記タイマ設定機能によって、複数の運転時間と各運転時間における運転条件が設定されて記録されるとともに、設定された前記運転時間において、当該運転時間と共に設定された運転条件が変更されたとき、次回に当該運転時間に利用するために記録する運転条件を、変更前の運転条件又は変更後の運転条件から選択されることを特徴とする。
【００１２】
この構成によると、設定された運転時間となり、設定された運転条件で空気調整装置が動作を行っているとき、ユーザーによって運転条件が変更されると、変更された運転条件で運転する。このとき、変更後の運転条件及び変更前の運転条件のいずれが選択されて、その運転時間の運転条件として記録される。その後、次回に設定された同一の運転時間となったとき、選択されて記録された運転条件が読み出されて空気調整装置が動作する。
【００１３】
又、このような空気調整装置において、一日に設定される複数の前記運転時間及び前記運転条件の組み合わせを、設定タイマパターンとして複数記録する。即ち、複数の運転条件を運転時間毎に設定することで、一日分の運転パターンとして構成される組み合わせが設定タイマパターンとして記録される。この設定タイマパターンを複数設定することで、その季節に応じた設定タイマパターンを利用することができる。
【００１４】
又、このような空気調整装置において、前記運転時間及び前記運転条件を設定する際に設定する前記運転時間の順番を報知する報知部を備える。この報知部としてスピーカを備え、設定される順毎にブザー音の回数又は周波数を切り換えて報知するようにしても構わない。又、この報知部としてＬＥＤなどの表示部を備え、設定される順毎に表示を切り換えて報知するようにしても構わない。
【００１５】
又、このような空気調整装置において、設定された前記運転時間が重なることがないようにしても構わない。このとき、ｎ番目の運転時間が設定される際、当該ｎ番目の運転時間の開始時刻がｎ−１番目の運転時間の終了時刻以降から設定されるとともに、当該ｎ番目の運転時間の終了時刻が当該ｎ番目の運転時間の開始時刻以降から設定されるようにしても構わない。
【００１６】
又、本発明の空気調整装置は、複数のイオン発生装置を備えた空気調整装置において、前記複数のイオン発生装置それぞれが並列に設置されるとともに、発生させるイオン量に応じて前記複数のイオン発生装置それぞれの動作状態を設定することを特徴とする。
【００１７】
このような空気調整装置において、前記イオン発生装置全てを動作させないとき、その寿命の長いイオン発生装置を動作させるようにしても構わない。又、各イオン発生装置の動作状態を、風量又は空気の汚染度に基づいて変更するようにしても構わない。
【００１８】
【発明の実施の形態】
＜第１の実施形態＞
本発明の第１の実施形態について、図面を参照して説明する。図１は、本実施形態の空気調整装置の内部構成を示すブロック図である。
【００１９】
図１の空気調整装置は、ボタンやキーなどの入力部１と、ディスプレイやＬＥＤなどの表示部２と、スピーカ３と、カウンタなどの計数動作により時刻情報を出力するタイマ４と、タイマ設定された内容であるタイマ設定情報を記録するメモリ５と、温度センサや湿度センサや埃センサなどのセンサ部６と、ファンや電熱器やイオン発生器やコンプレッサなどの駆動部７と、装置全体の動作を制御する制御部８とを備える。
【００２０】
この空気調整装置の入力部１には、温度や風量や風向や発生イオン量などの各種パラメータの設定、冷暖房や除菌量に応じた各種運転状態の切換などを行うためのボタンやキーなどが設けられる。そして、表示部２には、各種パラメータ及び各種運転状態及び時刻及びタイマ設定のＯＮ／ＯＦＦなどが表示される。又、スピーカ３によって、タイマ設定における各ステップや危機状態などの報知が行われる。更に、タイマ４内でカウンタなどが計数を行うことによって、現在時刻が求められる。
【００２１】
又、入力部１を操作することによってタイマ設定された設定時刻及び運転状態及びパラメータなどが、メモリ５に格納される。センサ部６において、温度センサによって室温が測定され、湿度センサによって室内の湿度が測定され、埃センサや臭センサによって室内の空気の汚れが測定される。駆動部７において、ファンによって冷風や温風や正負イオンが室内に送風され、電熱器によって空気が暖められ、イオン発生器によってイオンが発生され、コンプレッサによって冷媒ガスが圧縮される。
【００２２】
このような空気調整装置におけるタイマ設定動作について、図２のフローチャートを参照して説明する。このタイマ設定動作において、複数の時間帯（【請求の範囲】におけるタイマ設定機能によって設定される運転時刻又は運転時間に相当する）に対して設定することができ、ｎ番目に設定されるときの状態を第ｎタイマと呼ぶ。又、以下では、第ｋタイマまで設定することが可能であるものとする。又、第ｎタイマにおいて設定される動作状態の開始時刻を入タイマ設定時刻、終了時刻を切タイマ設定時刻とする。まず、入力部１が操作されることによって、タイマ設定動作を行うことが入力されると、制御部８においてタイマ設定動作が行われることが認識され、第１タイマから設定するために、ｎ＝１として初期化する（ＳＴＥＰ１）。
【００２３】
そして、第ｎタイマの設定動作を報知するための表示及び音声を表示部２及びスピーカ３それぞれより出力する（ＳＴＥＰ２）。このとき、例えば、表示部２のＬＥＤをｎ回点滅させても構わないし、第ｎタイマであることを示す位置の表示部２のＬＥＤを点灯させるようにしても構わないし、第ｎタイマであることを表示部２のディスプレイに表示するようにしても構わないし、スピーカ３によってブザー音をｎ回鳴らすようにしても構わないし、スピーカ３によって第ｎタイマであることを表す周波数のブザー音を出力するようにしても構わない。
【００２４】
その後、ＯＮするための入タイマ設定時刻を設定するように入タイマ設定時刻を表示部２のディスプレイに時刻表示を行う（ＳＴＥＰ３）。この入タイマ設定時刻の表示動作について、図３のフローチャートを利用して説明する。まず、第１タイマの設定であるか否かが確認される（ＳＴＥＰ３１）。このとき、第１タイマの設定である場合（Ｙｅｓ）、メモリ５内に第１タイマの入タイマ設定時刻が記録されているか否かが確認される（ＳＴＥＰ３２）。このとき、第１タイマの入タイマ設定時刻がメモリ５内に記録されていないとき（Ｎｏ）、タイマ４による現在時刻が制御部８により表示部２に与えられる（ＳＴＥＰ３５）。
【００２５】
又、ＳＴＥＰ３１において第１タイマの設定でない場合（Ｎｏ）、第ｎ−１タイマの設定で設定された切タイマ設定時刻がメモリ５より読み出され、制御部８により表示部２に与えられる（ＳＴＥＰ３４）。又、ＳＴＥＰ３２において第１タイマの入タイマ設定時刻がメモリ５内に記録されている場合（Ｙｅｓ）、メモリ５内に記録されている第１タイマの入タイマ設定時刻が読み出され、制御部８により表示部２に与えられる（ＳＴＥＰ３３）。ＳＴＥＰ３３〜ＳＴＥＰ３５においてタイマ４又はメモリ５からの時刻が表示部２に与えられると、表示部２のディスプレイ上に入タイマ設定時刻が点滅表示される（ＳＴＥＰ３６）。
【００２６】
このようにして入タイマ設定時刻が表示部２に表示されると、入力部１が操作されて表示部２に表示された入タイマ設定時刻が変更された後、ユーザー所望の時刻が表示されたときに決定することで入タイマ設定時刻が設定され、表示部２における入タイマ設定時刻の表示の点滅が停止する（ＳＴＥＰ４）。そして、表示部２のディスプレイに運転条件（尚、運転条件とは、上述のパラメータ及び運転状態を含む条件である）が点滅表示される（ＳＴＥＰ５）。この運転条件の表示動作について、図４のフローチャートを利用して説明する。
【００２７】
まず、第１タイマの設定であるか否かが確認される（ＳＴＥＰ５１）。このとき、第１タイマの設定である場合（Ｙｅｓ）、メモリ５内に第１タイマの運転条件が記録されているか否かが確認される（ＳＴＥＰ５２）。このとき、第１タイマの運転条件がメモリ５内に記録されていないとき（Ｎｏ）、メモリ５に記録されている現在の運転状態及びパラメータが読み出されて、制御部８により表示部２に与えられる（ＳＴＥＰ５５）。
【００２８】
又、ＳＴＥＰ５１において第１タイマの設定でない場合（Ｎｏ）、第ｎ−１タイマの設定で設定された運転条件がメモリ５より読み出され、制御部８により表示部２に与えられる（ＳＴＥＰ５４）。又、ＳＴＥＰ５２において第１タイマの運転条件がメモリ５内に記録されている場合（Ｙｅｓ）、メモリ５内に記録されている第１タイマの運転条件が読み出され、制御部８により表示部２に与えられる（ＳＴＥＰ５３）。ＳＴＥＰ５３〜ＳＴＥＰ５５においてメモリ５から運転条件が表示部２に与えられると、表示部２のディスプレイ上に運転条件が点滅表示される（ＳＴＥＰ５６）。
【００２９】
このようにして運転条件が表示部２に表示されると、入力部１が操作されて表示部２に表示された運転条件が変更された後、ユーザー所望の条件が表示されたとき決定することで運転条件が設定され、表示部２における運転条件の表示の点滅が停止する（ＳＴＥＰ６）。そして、ＳＴＥＰ４で設定された入タイマ設定時刻が制御部８より表示部２に与えられ、表示部２のディスプレイに切タイマ設定時刻として点滅表示される（ＳＴＥＰ７）。
【００３０】
このようにして切タイマ設定時刻が表示部２に表示されると、入力部１が操作されて表示部２に表示された切タイマ設定時刻が変更された後、ユーザー所望の時刻が表示されたときに決定することで運転条件が設定され、表示部２における運転条件の表示の点滅が停止する（ＳＴＥＰ８）。
【００３１】
ＳＴＥＰ４及びＳＴＥＰ６及びＳＴＥＰ８のそれぞれで入タイマ設定時刻及び運転条件及び切タイマ設定時刻が設定されると、設定された入タイマ設定時刻及び運転条件及び切タイマ設定時刻が制御部８によってメモリ５に与えられて、メモリ５内に格納される（ＳＴＥＰ９）。その後、タイマ設定動作を終了するか否かが、制御部８において確認される（ＳＴＥＰ１０）。このタイマ設定動作の終了の確認は、入力部１において、動作終了のボタンが押されるか否か、又は、次のタイマ時間設定を要求するためのボタンが押されるか否かによって判断される。
【００３２】
そして、タイマ設定動作を続けることが確認されたとき（Ｎｏ）、次の第ｎ＋１タイマの設定を行うために、ｎに１を加算する（ＳＴＥＰ１１）。このようにして１つ加算されたｎと所定値ｋとが比較され、ｎ＞ｋとなるか否かが確認される（ＳＴＥＰ１２）。このとき、ｎ≦ｋであるとき（Ｎｏ）、ＳＴＥＰ２に移行して、上述したＳＴＥＰ２以降の動作が行われて、第ｎ＋１タイマの設定が行われる。又、ＳＴＥＰ１０で終了が確認されたとき（Ｙｅｓ）、又、ＳＴＥＰ１２でｎ＞ｋであることが確認されたとき（Ｙｅｓ）、タイマ設定動作を終了する。
【００３３】
上述のタイマ設定動作において、運転条件を点滅表示する際、ｎが１以外の場合であっても、現在の運転条件が制御部８より表示部２に与えられるものとしても構わないし、又、入タイマ設定時間を点滅表示する際、ｎが１以外の場合であっても、前回に設定された入タイマ設定時間及び運転条件がメモリ５より読み出されて、制御部８より表示部２に与えられるものとしても構わない。更に、入タイマ設定時間を点滅表示する際、ｎが１以外の場合であっても、第ｎ−１タイマの切タイマ設定時間と前回に設定された入タイマ設定時間とが選択できるようにしても構わないし、又、運転条件を点滅表示する際、現在の運転条件と前回の運転条件とが選択できるようにしても構わない。
【００３４】
このようにして、タイマ設定が行われると、タイマ設定されてメモリ５内に格納された各運転条件で設定された時間帯毎に空気調整装置を動作させる（この動作を、以下、「タイマ予約動作」と呼ぶ）ため、ユーザーは入力部１におけるタイマ予約動作を行うように設定するボタン又はキーを操作する。このようにタイマ予約動作を行うように設定されると、メモリ５内に格納された各時間帯の運転条件で動作するように、タイマ４より与えられる現在時刻とメモリ５内に格納された入タイマ設定時刻及び切タイマ設定時刻とが制御部８において比較される。
【００３５】
即ち、現在時刻と第ｎタイマの入タイマ設定時刻とが比較され、現在時刻が入タイマ設定時刻と一致したとき、第ｎタイマの運転条件で運転を行うように駆動部７が制御される。そして、現在時刻と第ｎタイマの切タイマ設定時刻とが比較され、現在時刻が切タイマ設定時刻と一致したとき、駆動部７の動作を停止させる。その後、第ｎ＋１タイマの入タイマ設定時刻と現在時刻とが制御部８で比較され、同様の動作が繰り返される。尚、第ｎタイマが最後となる場合は、再度、第１タイマの入タイマ設定時刻と現在時刻とが制御部８で比較される。
【００３６】
このようにしてタイマ予約動作が成されるとき、第ｎタイマの入タイマ設定時刻と現在時刻が一致すると、第ｎタイマの運転条件で運転が行われる。このとき、ユーザーが入力部１を操作することによって、運転状態及びパラメータが変更されて、その運転条件が変更されると、変更後の運転条件に従って駆動部７の動作が制御される。このように変更後の運転条件に従って、空気調整装置が動作した後、第ｎタイマの切タイマ設定時刻と現在時刻が一致すると、空気調整装置の動作が終了する。このとき、この変更後の運転条件がメモリ５内に記録されることはなく、タイマ設定されたときに第ｎタイマにおいて設定された運転条件が記録されたままである。尚、この変更後の運転条件は、タイマ予約動作を行わないとき（通常運転時）の運転条件としてメモリ５内に格納されるようにしても構わない。
【００３７】
このように、第ｎタイマで設定された運転期間に、運転条件が切り換えられた後、その運転動作が終了すると、第ｎ＋１タイマ以降の運転期間の運転条件が、その設定に従って行われる。そして、タイマ設定された全ての運転期間における運転条件が行われると、再度、第１タイマから順に設定された運転期間が確認されると、それぞれで設定された運転条件に従って空気調整装置が動作する。このとき、第ｎタイマの入タイマ設定時刻になったことが確認されると、前回、ユーザーによって変更された変更後の運転条件はメモリ５内に記録されていないため、メモリ５内に記録されるタイマ設定されたときの運転条件（即ち、前回ユーザーによって変更される前の運転条件）に従って、空気調整装置が動作する。
【００３８】
図５に、タイマ予約動作したときの空気調整装置の運転動作の一例を示す。尚、図５の動作例は２日間における運転動作例であるとともに、第１〜第３タイマまでタイマ設定が成されているものとする。又、第１タイマでは、入タイマ設定時刻ｔａ１、運転条件Ａ、切タイマ設定時刻ｔａ２が、第２タイマでは、入タイマ設定時刻ｔｂ１、運転条件Ｂ、切タイマ設定時刻ｔｂ２が、第３タイマでは、入タイマ設定時刻ｔｂ２、運転条件Ｃ、切タイマ設定時刻ｔｃ２が、それぞれ設定されているものとする。
【００３９】
このとき、図５（ａ）のように、まず、現在時刻が入タイマ設定時刻ｔａ１に一致したことが確認されると、第１タイマの動作が行われることが認識されて、運転条件Ａがメモリ５より読み出され、運転条件Ａで動作するように駆動部７が制御される。そして、現在時刻が切タイマ設定時刻ｔａ２に一致したことが確認されると、空気調整装置が動作を停止する。その後、現在時刻が入タイマ設定時刻ｔｂ１に一致したことが確認されると、第２タイマの動作が行われることが認識されて、運転条件Ｂがメモリ５より読み出され、運転条件Ｂで動作するように駆動部７が制御される。
【００４０】
このように第２タイマによる運転条件Ｂで動作しているとき、時刻ｔｂ３で、ユーザーによって入力部１が操作されて、運転条件Ｄで動作するように入力されると、入力された運転条件Ｄで動作するように駆動部７の動作が切り替わるように制御される。このとき、第２タイマの運転条件は運転条件Ｂとして記録されたままである。その後、現在時刻が切タイマ設定時刻ｔｂ２に一致したことが確認されると、この第２タイマの切タイマ設定時刻ｔｂ２は第３タイマの入タイマ設定時刻ｔｂ２と同一であるため、運転条件Ｃがメモリ５より読み出され、運転条件Ｄから運転条件Ｃに切り換えられて、運転条件Ｃで動作するように駆動部７が制御される。そして、現在時刻が切タイマ設定時刻ｔｃ２に一致したことが確認されると、空気調整装置が動作を停止する。
【００４１】
このように、第３タイマの切タイマ設定時刻ｔｃ２が確認されて、その動作が停止すると、第１タイマの入タイマ設定時刻ｔａ１と現在時刻が一致するか否かが制御部８で確認される。そして、図５（ｂ）のように、図５（ａ）の時と同様、現在時刻が入タイマ設定時刻ｔａ１に一致したことが確認されると、運転条件Ａで動作した後、現在時刻が切タイマ設定時刻ｔａ２に一致したことが確認されると、空気調整装置が動作を停止する。
【００４２】
その後、現在時刻が入タイマ設定時刻ｔｂ１に一致したことが確認されると、第２タイマの運転条件である運転条件Ｂがメモリ５より読み出され、運転条件Ｂで動作する。そして、現在時刻が切タイマ設定時刻ｔｂ２に一致したことが確認されると、運転条件Ｂから運転条件Ｃに切り換えられて、運転条件Ｃで動作して、現在時刻が切タイマ設定時刻ｔｃ２に一致したことが確認されると、空気調整装置が動作を停止する。この例のように、第ｎタイマ（図５の例の第２タイマ）の動作が行われるとき運転条件がユーザーによって変更されても、再度、第ｎタイマ（図５の例の第２タイマ）の動作期間が確認されたときは、変更前のメモリ５に格納された運転条件に従って動作を行う。
【００４３】
＜第２の実施形態＞
本発明の第２の実施形態について、図面を参照して説明する。本実施形態の空気調整装置の構成は、第１の実施形態と同様、図１の構成となるとともに、本実施形態の空気調整装置におけるタイマ設定動作も、第１の実施形態と同様、図２のフローチャートに基づいた動作となる。よって、本実施形態では、第１の実施形態と異なるタイマ予約動作させたときの空気調整装置の動作について、以下に説明する。
【００４４】
本実施形態の空気調整装置において、第１の実施形態と同様、図２のフローチャートに基づいて、タイマ設定動作が行われた後、タイマ予約動作を行うように入力部１が操作されると、メモリ５内に格納された各時間帯の運転条件で動作するように、タイマ４より与えられる現在時刻とメモリ５内に格納された入タイマ設定時刻及び切タイマ設定時刻とが制御部８において比較される。そして、現在時刻が第ｎタイマの入タイマ設定時刻と一致すると、第ｎタイマの運転条件での運転を開始し、現在時刻が第ｎタイマの切タイマ設定時刻と一致すると、第ｎタイマの運転条件での運転を停止する。この動作が、第１タイマから順に行われ、タイマ設定されてメモリ５内に格納された全ての動作を行われると、再度、第１タイマから順に行われる。
【００４５】
このようにして第１の実施形態と同様のタイマ予約動作が成されるとき、ユーザーが入力部１を操作して、その運転条件が変更されたときの動作について、図６のフローチャートを参照して説明する。入力部１が操作されて、運転状態及びパラメータが変更されると（ＳＴＥＰ１０１）、現在の運転条件を入力部１によって入力された運転状態及びパラメータに基づいて変更する（ＳＴＥＰ１０２）。そして、第ｎタイマの運転条件に従った動作（以下、「第ｎタイマ動作」とする）をしているか否かが確認される（ＳＴＥＰ１０３）。このとき、第ｎタイマ動作で駆動していないとき（Ｎｏ）、通常運転時の運転条件として変更後の運転状態をメモリ５内に格納した後（ＳＴＥＰ１０６）、制御部８によって駆動部７が変更後の運転条件で動作するように制御される（ＳＴＥＰ１０７）。
【００４６】
又、ＳＴＥＰ１０３において、第ｎタイマ動作で駆動していることが確認されるとき（Ｙｅｓ）、変更後の運転条件を、第ｎタイマの運転条件として新たにメモリ５内に格納する指示が入力部１によって成されたか否かが確認される（ＳＴＥＰ１０４）。このとき、変更後の運転条件を第ｎタイマの運転条件として格納するように指示されている場合（Ｙｅｓ）、第ｎタイマの運転条件を変更後の運転条件に変換してメモリ５内に格納する（ＳＴＥＰ１０５）。
【００４７】
ＳＴＥＰ１０５において、第ｎタイマの運転条件の変換動作が終了したとき、又、ＳＴＥＰ１０４において、変更後の運転条件を第ｎタイマの運転条件として格納するように指示されていないとき（Ｎｏ）、変更後の運転条件が通常運転時の運転条件としてメモリ５内に格納された後（ＳＴＥＰ１０６）、駆動部７が変更後の運転条件で動作する（ＳＴＥＰ１０７）。
【００４８】
図７に、タイマ予約動作したときの空気調整装置の運転動作の一例を示す。尚、図７の動作例は、図５の動作例と同様、２日間における運転動作例であるとともに、第１〜第３タイマまでタイマ設定が成されているものとする。又、第１の実施形態と同様、第１タイマでは、入タイマ設定時刻ｔａ１、運転条件Ａ、切タイマ設定時刻ｔａ２が、第２タイマでは、入タイマ設定時刻ｔｂ１、運転条件Ｂ、切タイマ設定時刻ｔｂ２が、第３タイマでは、入タイマ設定時刻ｔｂ２、運転条件Ｃ、切タイマ設定時刻ｔｃ２が、それぞれ設定されているものとする。
【００４９】
このとき、図７（ａ）のように、まず、現在時刻が入タイマ設定時刻ｔａ１に一致したことが確認されると、運転条件Ａで駆動部７が動作する。そして、時刻ｔａ３で、ユーザーによって入力部１が操作されて、運転条件Ｅで動作するように入力されると、入力された運転条件Ｅで動作するように駆動部７の動作が切り替わる。このとき、この運転条件Ｅを第１タイマの運転条件としてメモリ５内に格納することが指示されないものとする。よって、この運転条件Ｅは、通常運転時の運転条件としてのみメモリ５内に記録される。そして、現在時刻が切タイマ設定時刻ｔａ２に一致したことが確認されると、空気調整装置が動作を停止する。
【００５０】
その後、時刻ｔｘ１において、空気調整装置が動作するように入力部１が操作されると、通常時の運転条件として記録された運転条件Ｅがメモリ５より読み出されて、駆動部７が運転条件Ｅで動作する。そして、現在時刻が入タイマ設定時刻ｔｂ１に一致したことが確認されると、運転条件Ｂで動作するように駆動部７の動作が切り替わる。このとき、時刻ｔｂ３に運転条件Ｄで動作するように入力されると、運転条件Ｄで動作するように駆動部７の動作が切り替わる。このように運転条件Ｄが入力されるとき、この運転条件Ｄを第２タイマの運転条件としてメモリ５内に格納することが指示されたものとする。よって、この運転条件Ｄは、第２タイマの運転条件及び通常運転時の運転条件としてのみメモリ５内に記録される。
【００５１】
その後、現在時刻が切タイマ設定時刻ｔｂ２に一致したことが確認されると、運転条件Ｄから運転条件Ｃに切り換えられて、運転条件Ｃで駆動部７が動作し、現在時刻が切タイマ設定時刻ｔｃ２に一致したことが確認されると、空気調整装置が動作を停止する。
【００５２】
このように、第３タイマの切タイマ設定時刻ｔｃ２が確認されて、その動作が停止すると、第１タイマの入タイマ設定時刻ｔａ１と現在時刻が一致するか否かが制御部８で確認される。そして、図７（ｂ）のように、現在時刻が入タイマ設定時刻ｔａ１に一致したことが確認されると、第１タイマの運転条件Ａがメモリ５より読み出され、運転条件Ａで動作した後、現在時刻が切タイマ設定時刻ｔａ２に一致したことが確認されると、空気調整装置が動作を停止する。
【００５３】
その後、時刻ｔｙ１において、空気調整装置が動作するように入力部１が操作されると、通常時の運転条件として記録された運転条件Ｄがメモリ５より読み出されて、駆動部７が運転条件Ｄで動作する。そして、時刻ｔｙ２に運転条件Ｆで動作するように入力されると、運転条件Ｆで動作するように駆動部７の動作が切り替わる。このとき、通常時の運転条件が運転条件Ｄから運転条件Ｆに変換されて、メモリ５内に記録される。
【００５４】
その後、現在時刻が入タイマ設定時刻ｔｂ１に一致したことが確認されると、運転条件Ｄで動作するように駆動部７の動作が切り替わる。そして、現在時刻が切タイマ設定時刻ｔｂ２に一致したことが確認されると、運転条件Ｄから運転条件Ｃに切り換えられて、運転条件Ｃで動作して、現在時刻が切タイマ設定時刻ｔｃ２に一致したことが確認されると、空気調整装置が動作を停止する。更に、時刻ｔｚ１に空気調整装置が動作するように入力部１が操作されると、通常時の運転条件として記録された運転条件Ｆがメモリ５より読み出されて、駆動部７が運転条件Ｆで動作する。
【００５５】
この例のように、第ｎタイマ（図７の例の第１タイマ及び第２タイマ）の動作が行われるとき運転条件がユーザーによって変更されたとき、変更前の運転条件と変更後の運転条件とを第ｎタイマ（図５の例の第１タイマ及び第２タイマ）の運転条件として選択することができる。
【００５６】
＜第３の実施形態＞
本発明の第３の実施形態について、図面を参照して説明する。本実施形態の空気調整装置の構成は、第１の実施形態と同様、図１の構成となる。
【００５７】
本実施形態の空気調整装置は、第１及び第２の実施形態と異なり、上述のタイマ設定動作を行うことで、複数種類の組み合わせ（この組み合わせを、以下において、「設定タイマパターン」と呼ぶ）を生成して、メモリ５内に格納することができる。以下に、この設定タイマパターン毎のタイマ設定動作について、図８のフローチャートを参照して説明する。
【００５８】
入力部１が操作されて、タイマ設定動作を行うことが指示されると（ＳＴＥＰ１５１）、いずれの設定タイマパターンについて行われるのか要求がなされ、入力部１によって設定する設定タイマパターンが指定される（ＳＴＥＰ１５２）。尚、設定タイマパターンの要求があるとき、表示部２で設定タイマパターンを表す「パターンｍ」が点滅表示され、ユーザーによって決定されたとき点滅表示が停止するようにしても構わない。
【００５９】
このように設定タイマパターンが指定されると、指定された設定タイマパターンについてのタイマ設定動作が行われる（ＳＴＥＰ１５３）。この設定タイマパターンにおけるタイマ設定動作は、第１の実施形態と同様、図２のフローチャートに基づく動作である。そして、指定された設定タイマパターンに対するタイマ設定動作が終了すると、タイマ設定動作の終了が指示されたか確認される（ＳＴＥＰ１５４）。このとき、終了の指示がない場合（Ｎｏ）、再度、ＳＴＰＥ１５１以降の動作が行われ、終了の指示がある場合（Ｙｅｓ）、設定動作を終了する。
【００６０】
このように複数の設定タイマパターンが設定されて、メモリ５内に記録されるときに、ユーザーによって入力部１が操作されてタイマ予約動作が指示されると、設定された複数の設定タイマパターンを選択するための表示が表示部２になされる。そして、入力部１が操作されることによって、タイマ予約動作をさせる設定タイマパターンが選択されると、空気調整装置は、この選択された設定タイマパターンに従って、設定された各時間帯毎に設定された運転条件で動作する。このタイマ予約動作が指示されたときの空気調整装置の動作は、第１又は第２の実施形態のいずれかと同様の動作となる。よって、その詳細な説明は省略する。
【００６１】
本実施形態では、記録する時間帯及び運転条件の組み合わせパターンである設定タイマパターンをメモリ５に複数記録しているので、これらの設定タイマパターンから利用時に最適なものを選択することができる。よって、季節毎に最適な運転条件が異なる空気調整装置において、各季節毎に設定タイマパターンを設定して記録し、利用する季節に応じて最適な設定タイマパターンを選択することができる。
【００６２】
＜空気清浄機を用いた実施例＞
以下に、空気清浄機を用いた実施例について、図面を参照して説明する。尚、本実施例においては、第１の実施形態における空気調節装置に基づく動作を行うものとする。図９は、本実施例の空気清浄機の一部の構成を示すブロック図である。
【００６３】
図９の空気清浄機は、吸気した空気から粉塵を除去するフィルタ１０と、フィルタ１０を通じて外気を吸気するために回転するファン１１と、ファン１１を通過した空気を通すとともに分岐された送風通路１２ａ〜１２ｃと、送風通路１２ａ〜１２ｃに設けられるとともにコロナ放電によってイオンクラスタを発生させるイオン発生部１３ａ〜１３ｃとを備える。
【００６４】
このような構成の空気清浄機において、イオン発生部１３ａ〜１３ｃで発生されるイオンクラスタが負イオンのみの場合、正イオンと負イオンの両方が発生される場合に比べて、除菌効果が低い。以下では、この負イオンのみが発生されるときの動作を「リラクゼーション動作」とするとともに、正イオンと負イオンの両方が発生されるときの動作を「除菌動作」とする。
【００６５】
即ち、上述の除菌動作が行われるとき、イオン発生部１３ａ〜１３ｃでは、例えばＨ＋（Ｈ２Ｏ）ｍ（ｍは任意の自然数）からなる正イオンと、例えばＯ２（Ｈ２Ｏ）ｎ（ｎは任意の自然数）からなる負イオンとを発生させる。そして、この正負両イオンが空気中の浮遊細菌の表面に付着して化学反応を起こすため、活性種である過酸化水素（Ｈ２Ｏ２）又は水酸基ラジカル（・ＯＨ）が生成される。この過酸化水素又は水酸基ラジカルは、きわめて強力な活性を示し、その分解作用により浮遊細菌が破壊される。よって、正負両イオンを発生させることで、効率的に、空気中の浮遊細菌を不活化、除去することができる。
【００６６】
又、この活性種となる正負両イオンによって、ホルムアルデヒドやアンモニアなどの化学物質を無害化することも可能である。又、正負両イオンによって、インフルエンザウィルスやコクサッキーウィルスなどのウィルス類なども不活化することができ、ウィルス混入による汚染を防止できる。更に、正負両イオンによって、臭いの元となる分子を分解することができ、脱臭を行うことができる。
【００６７】
又、この空気清浄機は、図１の入力部１及び表示部２に相当する部分が、図１０のように構成される。入力部１となるボタン１ａ〜１ｄと、表示部２となるＬＥＤ２ａ〜２ｆ及びディスプレイ２ｇとによって構成される。そして、ボタン１ｃが設定時刻などを加算するための入力ボタンとして、ボタン１ｂが設定を決定するための入力ボタンとして、ボタン１ａが設定時刻などを減算するための入力ボタンとして、ボタン１ｄが時刻設定を行うための入力ボタンとして、それぞれ設置される。又、ＬＥＤ２ａ〜２ｃが第１〜第３タイマの設定であることを報知する表示として、ＬＥＤ２ｄ〜２ｆが現在時刻及び入タイマ設定時刻及び切タイマ設定時刻それぞれがディスプレイ２ｇに表示されていることを報知する表示として設置される。又、ディスプレイ２ｇには、時刻及び運転条件が表示される。
【００６８】
更に、この空気清浄機は、運転条件として、風量及び除菌度（汚れに応じたイオン発生量に相当する）が設定される。そして、この風量が強中弱の３段階の設定とされるとともに、除菌度が１〜９の９段階の設定とされる。尚、除菌度については、１が弱く９が強い状態であり、イオン発生部１３ａ〜１３ｃの動作モードを変更することによって除菌度が設定される。
【００６９】
即ち、例えば、除菌度が１のとき、１つのイオン発生部がリラクゼーション動作を行うようにし、除菌度が２のとき、２つのイオン発生部がリラクゼーション動作を行うようにし、除菌度が３のとき、３つのイオン発生部がリラクゼーション動作を行うようにする。又、除菌度が４のとき、１つのイオン発生部が除菌動作を行うようにし、除菌度が５のとき、１つのイオン発生部が除菌動作を行うとともに別の１つのイオン発生部がリラクゼーション動作を行うようにし、除菌度が６のとき、１つのイオン発生部が除菌動作を行うとともに残りの２つのイオン発生部がリラクゼーション動作を行うようにする。又、除菌度が７のとき、２つのイオン発生部が除菌動作を行うようにし、除菌度が８のとき、２つのイオン発生部が除菌動作を行うとともに残りの１つのイオン発生部がリラクゼーション動作を行うようにし、除菌度が９のとき、３つのイオン発生部が除菌動作を行うようにする。
【００７０】
又、各イオン発生部１３ａ〜１３ｃについて、リラクゼーション動作及び除菌動作それぞれに対する動作時間が積算され、このリラクゼーション動作及び除菌動作それぞれの積算時間から動作寿命が演算されてメモリ５（図１）内に格納されるものとする。そして、イオン発生部１３ａ〜１３ｃのうち、この動作寿命の長いものが優先して駆動するように制御される。尚、動作時間が長いほど動作寿命が短くなるのは、放電を行ってイオンを生成する際、このイオンによって電極がエッチングされるためである。
【００７１】
このような空気清浄機におけるタイマ設定動作について、以下に説明する。タイマ設定動作が行われていないとき、ディスプレイ２ｇに現在時刻が表示されるとともに、現在時刻が表示されていることを示すＬＥＤ２ｄが点灯している。そして、ボタン１ｄが押圧されると、タイマ設定動作が開始し、スピーカ３（図１）よりブザー音が１回なるとともに、第１タイマの設定を示すＬＥＤ２ａが点灯する。このとき、ＬＥＤ２ｅが点滅することによって入タイマ設定時刻がディスプレイ２ｇに表示されるとともに入タイマ設定時刻が設定されることが示される。
【００７２】
そして、ボタン１ａ，１ｃが操作されることによって、入タイマ設定時刻が設定される。その後、ボタン１ｂが押圧されることによって、ディスプレイ２ｇに表示された入タイマ設定時刻が第１タイマの入タイマ設定時刻に決定されるとともに、第１タイマの入タイマ設定時刻が決定されたことを示すために、ＬＥＤ２ｅが点灯する。
【００７３】
このように、ＬＥＤ２ｅが点灯すると、ディスプレイ２ｇに風量及び除菌度が表示されて、運転条件の設定が行われる。このとき、まず、ボタン１ａ，１ｃが操作された後にボタン１ｂが押圧されて風量が決定された後、次に、ボタン１ａ，１ｃが操作された後にボタン１ｂが押圧されて除菌度が決定されることで、第１タイマの運転条件が設定される。そして、ボタン１ｄが押圧されると、ＬＥＤ２ｆが点滅することによって切タイマ設定時刻がディスプレイ２ｇに表示されるとともに切タイマ設定時刻が設定されることが示される。尚、ディスプレイ２ｇには、設定された第１タイマの入タイマ設定時刻が表示される。
【００７４】
このとき、ボタン１ａ，１ｃが操作された後にボタン１ｂが押圧されて、第１タイマの切タイマ設定時刻が設定される。このように第１タイマの切タイマ設定時刻が設定されると、第１タイマの切タイマ設定時刻が決定されたことを示すために、ＬＥＤ２ｆが点灯する。そして、ボタン１ｄが押圧されると、スピーカ３（図１）よりブザー音が２回なるとともに、第２タイマの設定を示すＬＥＤ２ｂが点灯するとともに、ＬＥＤ２ｅが点滅する。このとき、第１タイマの入タイマ設定時刻及び運転条件及び切タイマ設定時刻がメモリ５（図１）に格納される。又、ディスプレイ２ｇには、設定された第１タイマの切タイマ設定時刻が表示される。
【００７５】
その後、第１タイマを設定したときと同様の動作が行われることによって、第２タイマの入タイマ設定時刻及び運転条件及び切タイマ設定時刻が順に設定される。このようにして、第２タイマの入タイマ設定時刻及び運転条件及び切タイマ設定時刻が設定された後、ボタン１ｄが押圧されると、スピーカ３（図１）よりブザー音が３回なるとともに、第３タイマの設定を示すＬＥＤ２ｃが点灯するとともに、ＬＥＤ２ｅが点滅する。このとき、第２タイマの入タイマ設定時刻及び運転条件及び切タイマ設定時刻がメモリ５（図１）に格納される。
【００７６】
そして、第１タイマ及び第２タイマを設定したときと同様の動作が行われることによって、第３タイマの入タイマ設定時刻及び運転条件及び切タイマ設定時刻が順に設定される。このようにして、第３タイマの入タイマ設定時刻及び運転条件及び切タイマ設定時刻が設定された後、ボタン１ｄが押圧されると、スピーカ３（図１）よりブザー音が１回なるとともに、ＬＥＤ２ｄが点灯して、ディスプレイ２ｇに現在時刻を表示する。このとき、第３タイマの入タイマ設定時刻及び運転条件及び切タイマ設定時刻がメモリ５（図１）に格納される。
【００７７】
このようにタイマ設定動作がなされるとき、第１タイマにおいて、入タイマ設定時刻７：００及び切タイマ設定時刻９：００及び運転条件である風量弱及び除菌度３が、第２タイマにおいて、入タイマ設定時刻９：００及び切タイマ設定時刻１６：００及び運転条件である風量強及び除菌度８が、第３タイマにおいて、入タイマ設定時刻１７：３０及び切タイマ設定時刻２０：００及び運転条件である風量中及び除菌度５が、設定されるものとする。
【００７８】
このようなタイマ設定動作が行われた後、ボタン１ｂが押圧されたことによって、タイマ予約設定がなされる。そして、現在時刻が７：００を示すと、第１タイマの運転条件である風量弱及び除菌度３が読み出される。よって、ファン１１が弱で動作するとともに、イオン発生部１３ａ〜１３ｃ全てがリラクゼーション動作を行う。その後、現在時刻が９：００を示すと、第１タイマの運転条件から第２タイマの運転条件に切り換えられ、第２タイマの運転条件である風量強及び除菌度８が読み出される。よって、ファン１１が強で動作するとともに、イオン発生部１３ａの動作寿命が最も短いとき、イオン発生部１３ａがリラクゼーション動作を行い、イオン発生部１３ｂ，１３ｃが除菌動作を行う。
【００７９】
第２タイマの運転条件に基づいて動作を行っているとき、ユーザーによって、現在時刻１３：００に操作されて、運転条件となる除菌度を６に変更される。このとき、通常運転時の運転条件としてメモリ５に記録されるとともに、イオン発生部１３ｂの動作寿命が最も長いとき、イオン発生部１３ｃが除菌動作からリラクゼーション動作に切り替わる。そして、現在時刻が１６：００を示すと、ファン１１及びイオン発生部１３ａ〜１３ｃの動作を停止する。
【００８０】
そして、ユーザーによって、現在時刻１７：１０に運転するように操作されると、通常運転時の運転条件である風量強及び除菌度６が読み出される。よって、ファン１１が強で動作するとともに、イオン発生部１３ｂの動作寿命が最も長いとき、イオン発生部１３ａ，１３ｃがリラクゼーション動作を行い、イオン発生部１３ｂが除菌動作を行う。
【００８１】
その後、現在時刻が１７：３０を示すと、第３タイマの運転条件である風量中及び除菌度５が読み出される。よって、ファン１１が中に切り替わるとともに、イオン発生部１３ａの動作寿命が最も短いとき、イオン発生部１３ａが停止する。現在時刻が２０：００を示すと、ファン１１及びイオン発生部１３ｂ，１３ｃの動作を停止する。
【００８２】
そして、再び、現在時刻が７：００を示すと、前日と同様、第１タイマの運転条件である風量弱及び除菌度３が読み出される。よって、ファン１１が弱で動作するとともに、イオン発生部１３ａ〜１３ｃ全てがリラクゼーション動作を行う。その後、現在時刻が９：００を示すと、第１タイマの運転条件から第２タイマの運転条件に切り換えられ、前日と同様、第２タイマの運転条件である風量強及び除菌度８が読み出される。よって、ファン１１が強で動作するとともに、イオン発生部１３ｂの動作寿命が最も短いとき、イオン発生部１３ｂがリラクゼーション動作を行い、イオン発生部１３ａ，１３ｃが除菌動作を行う。
【００８３】
そして、現在時刻が１６：００を示すと、ファン１１及びイオン発生部１３ａ〜１３ｃの動作を停止する。その後、現在時刻が１７：３０を示すと、前日と同様、第３タイマの運転条件である風量中及び除菌度５が読み出される。よって、ファン１１が中に切り替わるとともに、イオン発生部１３ｂの動作寿命が最も短く、イオン発生部１３ａの動作寿命が最も長いとき、イオン発生部１３ａが除菌動作を行い、イオン発生部１３ｃがリラクゼーション動作を行う。その後、現在時刻が２０：００を示すと、ファン１１及びイオン発生部１３ａ，１３ｃの動作を停止する。
【００８４】
尚、本実施例の空気清浄機において、第１の実施形態におけるタイマ予約動作が成されるものとしたが、第２の実施形態におけるタイマ予約動作が成されるものとしても構わない。又、第３の実施形態のように、複数の設定タイマパターンが設定されるようにしても構わない。
【００８５】
又、本実施例の空気清浄機において、空気の汚染を感知する埃センサ及び臭センサを含む汚れセンサを備えるとともに、この汚れセンサで感知された空気の汚染状態に応じてイオン発生部１３ａ〜１３ｃそれぞれの動作状態が制御されるようにしても構わない。又、本実施例の空気清浄機において、ファン１１の風量に応じてイオン発生部１３ａ〜１３ｃそれぞれの動作状態が制御されるようにしても構わない。
【００８６】
【発明の効果】
本発明によると、複数の運転時間に対する運転条件を設定することができるので、時間帯に応じた運転条件の設定を行うことができる。又、設定された運転時間の運転条件が切り換えられたときに、運転時間とともに設定された運転条件を記録したままとするため、運転条件が切り換えられるたびに設定された運転条件が変更することを防ぐことができる。又、設定された運転時間の運転条件が切り換えられたときに、記録される運転条件が変更前の運転条件と変更後の運転条件とから選択されるため、最適な運転条件を設定することができる。
【００８７】
又、複数のイオン発生装置を独立して動作させて発生させるイオン量を調整することができるので、空気の汚染度に応じて最適なイオン量を発生させることができる。更に、全てのイオン発生装置を動作させないとき、寿命の長いものから動作させるようにするため、空気調整装置の寿命を長く保たせることができる。又、ブザーによって何番目のタイマかを確認することができるので、ＬＥＤを除く構成として操作部のスペースが削減される。
【図面の簡単な説明】
【図１】第１〜第３の実施形態の空気調整装置の内部構成を示すブロック図。
【図２】第１の実施形態の空気調整装置のタイマ設定動作を示すフローチャート。
【図３】時刻表示動作を示すフローチャート。
【図４】運転条件表示動作を示すフローチャート。
【図５】第１の実施形態の空気調整装置の運転例を示す図。
【図６】第２の実施形態の空気調整装置の運転条件変更時における動作を示すフローチャート。
【図７】第２の実施形態の空気調整装置の運転例を示す図。
【図８】第３の実施形態の空気調整装置のタイマ設定動作を示すフローチャート。
【図９】本発明を適用した空気清浄機の内部構成を示すブロック図。
【図１０】図９の空気清浄機の入力部及び表示部を説明するための図。
【符号の説明】
１    入力部
２    表示部
３    スピーカ
４    タイマ
５    メモリ
６    センサ部
７    駆動部
８    制御部
【図１】
2004162961.tif 000003
【図２】
2004162961.tif 000004
【図３】
2004162961.tif 000005
【図４】
2004162961.tif 000006
【図５】
2004162961.tif 000007
【図６】
2004162961.tif 000008
【図７】
2004162961.tif 000009
【図８】
2004162961.tif 000010
【図９】
2004162961.tif 000011
【図１０】
2004162961.tif 000012